(57)【要約】  実施形態によれば、電子機器は、第１の検出手段と、保存手段と、制御手段とを具備する。前記第１の検出手段は、電子機器が人体に装着されたことまたは取り外されたことを検出する。前記保存手段は、前記電子機器の装着または取り外しが検出された場合に実行すべき処理の内容を示す制御情報を保存する。前記制御手段は、前記電子機器の装着または取り外しが検出された場合、前記制御情報に基づいて、前記制御情報によって指定される制御対象の少なくとも一つの外部機器を前記制御情報によって指定される状態に設定するための制御コマンドを送信する。
2014155497.tif 000002
【特許請求の範囲】
【請求項１】
電子機器が人体に装着されたことまたは取り外されたことを検出する第１の検出手段と、
前記電子機器の装着または取り外しが検出された場合に実行すべき処理の内容を示す制御情報を保存する保存手段と、
前記電子機器の装着または取り外しが検出された場合、前記制御情報に基づいて、前記制御情報によって指定される制御対象の少なくとも一つの外部機器を前記制御情報によって指定される状態に設定するための制御コマンドを送信する制御手段とを具備する電子機器。
【請求項２】
前記制御情報は、前記電子機器の装着が検出された場合に実行すべき処理の内容を示す第１の制御情報と前記電子機器の取り外しが検出された場合に実行すべき処理の内容を示す第２の制御情報とを含み、
前記制御手段は、
前記電子機器の装着が検出された場合、前記第１の制御情報に基づいて、前記第１の制御情報によって指定される制御対象の少なくとも一つの外部機器を前記第１の制御情報によって指定される第１の状態に設定するための第１の制御コマンドを送信し、
前記電子機器の取り外しが検出された場合、前記第２の制御情報に基づいて、前記第２の制御情報によって指定される制御対象の少なくとも一つの外部機器を前記第２の制御情報によって指定される、前記第１の状態とは異なる第２の状態に設定するための第２の制御コマンドを送信する請求項１記載の電子機器。
【請求項３】
前記電子機器を装着するユーザの生体情報を検知するセンサをさらに具備し、
前記制御情報は、前記ユーザの生体情報が変化した場合に実行すべき処理の内容を示す別の制御情報を含み、
前記制御手段は、前記電子機器が前記ユーザに装着されている期間中において前記ユーザの生体情報の変化が検知された場合、前記別の制御情報に基づいて、前記別の制御情報によって指定される制御対象の少なくとも一つの外部機器を前記別の制御情報によって指定される状態に設定するための制御コマンドを送信する請求項１記載の電子機器。
【請求項４】
前記電子機器の位置情報を取得する位置情報取得手段をさらに具備し、
前記制御手段は、前記位置情報に基づき、前記電子機器が前記少なくとも一つの外部機器が存在する第１のエリア内に存在するか否か判定し、前記電子機器が前記第１のエリア内に存在する場合、前記制御コマンドを送信するための機能を有効にし、前記電子機器が前記第１のエリア内に存在しない場合、前記機能を無効にする請求項１記載の電子機器。
【請求項５】
前記電子機器を装着するユーザの生体情報を取得する取得手段と、
前記電子機器の装着または取り外しが検出された場合、前記取得される生体情報が登録生体情報に対応するかを判定する生体認証を行う生体認証手段とをさらに具備し、
前記制御手段は、前記取得される生体情報が前記登録生体情報に対応することが判定された場合、前記制御コマンドを送信するための機能を有効にし、前記取得される生体情報が前記登録生体情報に対応することが判定されなかった場合、前記機能を無効にする請求項１記載の電子機器。
【請求項６】
前記電子機器を装着するユーザの生体情報を取得する取得手段をさらに具備し、
前記検出手段は、前記取得される生体情報に基づき、前記電子機器が前記ユーザに装着されたことまたは取り外されたことを検出する請求項１記載の電子機器。
【請求項７】
前記電子機器の位置情報を取得する位置情報取得手段と、
前記位置情報に基づき、前記電子機器が前記少なくとも一つの外部機器が存在する第１のエリアから前記第１のエリアの外に出たことまたは前記第１のエリアの外から前記第１のエリアに入ったことを検出する第２の検出手段とをさらに具備し、
前記制御情報は、前記電子機器が前記第１のエリアの外に出たことが検出された場合に実行すべき処理の内容を示す別の制御情報を含み、
前記制御手段は、
前記電子機器が前記第１のエリアの外に出たことが検出された場合、前記別の制御情報に基づいて、前記別の制御情報によって指定される制御対象の少なくとも一つの外部機器の現在の状態を示す情報を保存すると共に、前記別の制御情報によって指定される制御対象の少なくとも一つの外部機器を前記別の制御情報によって指定される状態に設定するための第１の制御コマンドを送信し、
前記電子機器が前記第１のエリアに入ったことが検出された場合、前記保存された情報に基づいて、前記別の制御情報によって指定される制御対象の少なくとも一つの外部機器を元の状態に復元するための第２の制御コマンドを送信する請求項１記載の電子機器。
【請求項８】
電子機器によって外部機器を遠隔制御する遠隔制御方法であって、
前記電子機器が人体に装着されたことまたは取り外されたことを検出し、
前記電子機器の装着または取り外しが検出された場合、前記電子機器の装着または取り外しが検出された場合に実行すべき処理の内容を示す制御情報に基づいて、前記制御情報によって指定される制御対象の少なくとも一つの外部機器を前記制御情報によって指定される状態に設定するための制御コマンドを送信する遠隔制御方法。
【発明の詳細な説明】
【技術分野】
【０００１】
本発明の実施形態は、電子機器および遠隔制御方法に関する。
【背景技術】
【０００２】
近年、ユーザが身につけて利用可能なウェアラブル機器と呼ばれる電子機器が開発されている。多くのウェアラブル機器はこのウェアラブル機器を身につけたユーザに対して様々な情報を提供することができる。【０００３】
また、ユーザによって行われるウェアラブル機器の操作に応じてウェアラブル機器から外部機器を制御する技術も開発され始めている。
【先行技術文献】
【特許文献】
【０００４】
【特許文献１】特開２０００−２００３１５号公報
【発明の概要】
【発明が解決しようとする課題】
【０００５】
しかしながら、外部機器を制御するためには、ユーザはウェアラブル機器自体の操作をする必要がある。また、複数の外部機器を制御するためには、複数の外部機器の各々に対する個別の操作を、ユーザがウェアラブル機器に対して行わなければならない。【０００６】
本発明の目的は、外部機器を容易に制御することができる電子機器および遠隔制御方法を提供することである。
【課題を解決するための手段】
【０００７】
実施形態によれば、電子機器は、第１の検出手段と、保存手段と、制御手段とを具備する。前記第１の検出手段は、電子機器が人体に装着されたことまたは取り外されたことを検出する。前記保存手段は、前記電子機器の装着または取り外しが検出された場合に実行すべき処理の内容を示す制御情報を保存する。前記制御手段は、前記電子機器の装着または取り外しが検出された場合、前記制御情報に基づいて、前記制御情報によって指定される制御対象の少なくとも一つの外部機器を前記制御情報によって指定される状態に設定するための制御コマンドを送信する。
【図面の簡単な説明】
【０００８】
【図１】図１は、実施形態に係る電子機器によって実行される遠隔制御処理の概要を説明するための図である。
【図２】図２は、同実施形態に係る電子機器の概観を示す図である。
【図３】図３は、同実施形態に係る電子機器のシステム構成例を示す図である。
【図４】図４は、同実施形態に係る電子機器内に設けられる複数のコンポーネント間の関係を示すブロック図である。
【図５】図５は、同実施形態に係る電子機器がユーザに装着された時に実行される遠隔制御処理の手順を示すフローチャートである。
【図６】図６は、同実施形態に係る電子機器がユーザから取り外された時に実行される遠隔制御処理の手順を示すフローチャートである。
【図７】図７は、同実施形態に係る電子機器がユーザに装着されている期間中に実行される遠隔制御処理の手順を示すフローチャートである。
【図８】図８は、同実施形態に係る電子機器の装着／取りし時に実行すべき処理の内容を示す制御情報を説明するための図である。
【図９】図９は、同実施形態に係る電子機器がユーザに装着されている期間中に実行すべき処理の内容を示す別の制御情報を説明するための図である。
【図１０】図１０は、同実施形態に係る電子機器によって、ユーザの外出時／帰宅時に実行される遠隔制御処理の概要を説明するための図である。
【図１１】図１１は、ユーザの外出時／帰宅時に実行される遠隔制御処理に関するコンポーネント間の関係を示すブロック図である。
【図１２】図１２は、同実施形態に係る電子機器が所定のエリアの外に出る時に実行される遠隔制御処理の手順を示すフローチャートである。
【図１３】図１３は、同実施形態に係る電子機器が所定のエリア内に入る時に実行される遠隔制御処理の手順を示すフローチャートである。
【図１４】図１４は、同実施形態に係る電子機器によって実行されるユーザ認証処理の手順を示すフローチャートである。
【発明を実施するための形態】
【０００９】
以下、実施の形態について図面を参照して説明する。  
図１を参照して、本実施形態に係る電子機器の概要について説明する。この電子機器は人体に装着可能なウェアラブル機器１０として実現されている。このウェアラブル機器１０は、ウェアラブル機器１０を装着しているユーザ１１に対して様々な情報を提供する機能、および家庭内の各種電子機器のような様々な外部機器と連携して動作するための機器連携機能、等を有している。この機器連携機能には、様々な外部機器を自動的に遠隔制御する機能が含まれている。
【００１０】
ウェアラブル機器１０は様々なセンサを内蔵しており、人体（ユーザ１１）の生体情報を検出することができる。また、ウェアラブル機器１０は、このウェアラブル機器１０が人体（ユーザ１１）に装着されたこと、および人体（ユーザ１１）から取り外されたことを検出することもできる。
【００１１】
本実施形態において、ウェアラブル機器１０は、ユーザ１１がウェアラブル機器１０を装着したことまたは取り外したことに応じて、複数の家庭内情報機器（外部機器１２Ｂ、１２Ｃ）に対してまとめて操作を行うことができる。また、ウェアラブル機器１０は、ユーザ１１の生体情報の変化に応じて（トリガとして）、外部機器１２Ｂ及び外部機器１２Ｃに対してまとめて操作を行うことができる。
【００１２】
図１は、ウェアラブル機器１０によって実行される遠隔制御処理の概要を示している。遠隔制御処理は、ユーザ１１がウェアラブル機器１０を装着した時、およびウェアラブル機器１０を取り外した時に実行される。また、ウェアラブル機器１０を装着中における本実施形態の概要を示している。なお、本実施形態において、装着中とは、ユーザ１１がウェアラブル機器１０を装着している最中ではなく、ウェアラブル機器１０がユーザ１１に装着されている状態（期間中）である。
【００１３】
ウェアラブル機器１０がユーザ１１に装着された時、ウェアラブル機器１０は、外部機器１２Ｂ（エアコン）の電源を入れる（ＯＮ状態にする）ための遠隔制御を行う。また、ウェアラブル機器１０は、外部機器１２Ｃ（ＴＶ）に天気に関する情報を表示するための遠隔制御を行う。天気に関する情報は、例えば今日の天気の情報を放送している番組の情報である。このように、ユーザ１１がウェアラブル機器１０を装着するだけで、複数の外部機器１２Ｂ、１２Ｃをまとめて制御（操作）することができる。より詳細には、ユーザ１１がウェアラブル機器１０を装着するだけで、複数の外部機器１２Ｂ、１２Ｃの状態を変更することができる。ユーザ１１がウェアラブル機器１０を装着した時とは、例えば、朝、ユーザ１１が起床した場合等が想定される。
【００１４】
ウェアラブル機器１０がユーザ１１から取り外された時、ウェアラブル機器１０は、外部機器１２Ｂのタイマーを設定するための遠隔制御を行う。例えば、ユーザ１１が就寝時に外部機器１２Ｂのタイマーを設定する際、ユーザ１１はウェアラブル機器１０を取り外すだけで、外部機器１２Ｂのタイマーを設定することができる。また、ウェアラブル機器１０がユーザ１１から取り外された時、ウェアラブル機器１０は、外部機器１２Ｃの画面をＯＦＦにする（ＯＦＦ状態にする）ための遠隔制御を行う。そのため、ユーザ１１はウェアラブル機器１０を取り外すだけで、外部機器１２Ｃの画面の電源を切ることができるので、ユーザ１１が外部機器１２Ｃの画面の電源を切るという操作を行う必要がない。このように、ユーザ１１がウェアラブル機器１０を取り外した時も、外部機器をまとめて操作することできる。
【００１５】
ウェアラブル機器１０がユーザ１１に装着された状態である期間（装着中）においては、ウェアラブル機器１０は、ユーザ１１の生体情報の変化に応じて、外部機器１２Ｂの設定温度を変更するための遠隔制御を行う。また、ウェアラブル機器１０は、外部機器１２Ｃの画面をＯＦＦにするための遠隔制御を行う。例えば、ユーザ１１が暑いと感じている場合、外部機器１２Ｂの設定温度が下がる。また、ユーザ１１が就寝することによって、ユーザ１１の体温が低下する。ユーザ１１の体温が低下したことに応じて、外部機器１２Ｃの画面がＯＦＦになる。そのため、ユーザ１１はウェアラブル機器１０を装着したまま就寝した場合でも、外部機器１２Ｃの画面をＯＦＦにすることができる。このように、ユーザ１１がウェアラブル機器１０を装着している期間中（装着中）も、外部機器をまとめて操作することできる。
【００１６】
このように、ウェアラブル機器１０は、ユーザ１１の周辺にある外部機器の動作環境を自動的に変更することができる。図１には図示されていないが、例えば、自宅等の照明（外部機器）の照度を調整することによって、照明の明るさを変更することもできる。
【００１７】
次に、図２を参照し、本実施形態のウェアラブル機器１０の概要について説明する。  
以下では、ウェアラブル機器１０が人体の腕に着用可能な腕時計型のデバイスによって実現されている場合を想定する。なお、本実施形態のウェアラブル機器１０は、腕時計型でなくてもよく、例えば、眼鏡型であってもよいし、ユーザの耳に装着可能なイヤホン型であってもよい。つまり、本実施形態のウェアラブル機器１０は、ユーザが身につけていることを意識しないような機器である。
【００１８】
ウェアラブル機器１０は、ウェアラブル機器１０が装着された人体の様々な生体情報、例えば、静脈パターン、体温、生体インピーダンス、心拍数、血圧、等、を測定可能なセンサを備えている。ウェアラブル機器１０は、生体情報に基づき、ユーザの認証をする。ユーザの認証は、例えば、ウェアラブル機器１０に登録されているユーザ１１の生体情報と、上述したセンサによって測定される生体情報と、が一致または対応しているか否かによって判定される。生体認証が一致または対応している場合、ユーザの認証に成功したと判定される。ユーザの認証に成功した場合、ウェアラブル機器１０は外部機器を制御（遠隔制御）することができる。さらに、ウェアラブル機器１０は、無線通信機能を有している。ウェアラブル機器１０は、外部機器と無線通信を行うことにより、外部機器を制御することができる。外部機器は、例えば、エアコン１２Ｂ、テレビ１２Ｃ（ＴＶ）、冷蔵庫等の家庭内情報機器である。
【００１９】
次に、図３を参照し、ウェアラブル機器１０のシステム構成について説明する。  
ウェアラブル機器１０は、ＣＰＵ３０、システムコントローラ３１、メモリ３２、時計モジュール３３、位置検出部（ＧＰＳ）３４、生体情報取得部３５、無線通信部（ＢＴモジュール）３６、装着／取り外し検出部３７、サウンドコントローラ３８、ディスプレイ３９、及びスピーカ４０等を備える。
【００２０】
ＣＰＵ３０は、ウェアラブル機器１０内の各部の動作を制御するプロセッサである。ＣＰＵ３０は、メモリ３２にロードされる、オペレーティングシステム（ＯＳ）４３、及び各種アプリケーションプログラムを実行する。アプリケーションプログラムには、遠隔制御プログラム４１が含まれている。
【００２１】
遠隔制御プログラム４１は、上述した外部機器を遠隔操作するためのプログラムである。なお、詳細は図４を参照して後述するが、遠隔制御プログラム４１は、ユーザがウェアラブル機器１０を装着または取り外したことに応じて、外部機器を制御するための制御コマンド（遠隔制御コマンド）を外部機器に送信することによって、外部機器を操作することができる。
【００２２】
システムコントローラ３１は、ＣＰＵ３０と各コンポーネントとの間を接続するブリッジデバイスである。システムコントローラ３１には、メモリ３２をアクセス制御するメモリコントローラも内蔵されている。また、システムコントローラ３１は、ウェアラブル機器１０のディスプレイ３９を制御する表示コントローラを内蔵していてもよい。さらに、システムコントローラ３１は、サウンドコントローラ３８との通信を実行する機能も有している。
【００２３】
サウンドコントローラ３８は音源デバイスであり、再生対象のオーディオデータをスピーカ４０に出力する。無線通信部（ＢＴモジュール）３６は、例えばＢｌｕｅｔｏｏｔｈ（登録商標）を使用して無線通信を実行する無線通信デバイスである。また、無線通信部（ＢＴモジュール）３６は、Ｂｌｕｅｔｏｏｔｈ（登録商標）とは異なる、外部機器と近距離通信可能な無線通信でもよい。
【００２４】
時計モジュール３３は、現在時刻を計時するモジュールである。位置検出部３４は、ウェアラブル機器１０の現在位置、例えばウェアラブル機器１０の現在位置を示す経度および緯度、を取得する。位置検出部３４は、例えば、全地球測位システム（ＧＰＳ）に対応する。
【００２５】
生体情報取得部３５は、ユーザ１１の生体情報を測定（取得）する１以上のセンサを含む。装着／取り外し検出部３７は、ウェアラブル機器１０がユーザ（人体）１１に装着されたこと、またはウェアラブル機器１０がユーザ（人体）１１から取り外されたことを検出する。具体的には、装着／取り外し検出部３７は、ウェアラブル機器１０のバックル等が閉じられたことをウェアラブル機器１０がユーザ（人体）１１に装着されたこととして検出し、またバックル等が開かれたことをウェアラブル機器１０がユーザ（人体）１１から取り外されたこととして検出する。
【００２６】
移動通信モジュール４４は、携帯電話通信網を利用した無線通信、例えば３Ｇの通信規格の無線通信、を行う。なお、移動通信モジュール４４は、ＢＴモジュール３６による無線通信と異なる規格の無線通信であればよく、携帯電話通信網とは異なる通信網を利用した無線通信であってもよい。
【００２７】
次に、図４を参照し、ウェアラブル機器１０によって実行されるソフトウェアの構成について説明する。  
ウェアラブル機器１０は、生体情報取得部３５、ＢＴモジュール３６、装着／取り外し検出部３７、遠隔制御プログラム４１、記憶部５０等を備える。  
装着／取り外し検出部３７は、ウェアラブル機器１０が装着されたことまたは取り外されたことを検出する。装着／取り外し検出部３７は、ウェアラブル機器１０が装着されたまたは取り外されたことを検出したことを制御部５１及び認証部５２に通知する。
【００２８】
生体情報取得部３５は、静脈センサ３５Ｂ及び温度センサ３５Ｃを備えている。生体情報取得部３５は、ユーザ１１の生体情報を取得する。静脈センサは、ユーザの血管の形状を読み取るセンサである。温度センサ３５Ｃは、ユーザの体温を計測するセンサである。
【００２９】
生体情報取得部３５は、静脈センサ３５Ｂまたは温度センサ３５Ｃ等によって検知された生体情報は制御部５１及び認証部５２に送られる。
【００３０】
また、生体情報取得部３５は、ウェアラブル機器１０が装着されている間、温度センサ３５Ｃ等を使用して、ユーザの体温等をセンシングすることができる。  
認証部５２は、生体認証部５５を備えている。生体認証部５５は、ウェアラブル機器１０が装着されたことを装着／取り外し検出部３７が検出したことに応答して、生体認証を開始する。生体認証部５５は、生体情報取得部３５（センサ）によって測定されたユーザの生体情報と記憶部５０内に格納されている生体情報（登録生体情報）とを比較する。そして、測定された生体情報が登録生体情報に対応するか否か、つまり測定された生体情報の特徴が登録生体情報の特徴にマッチ（対応／一致）するか否かを判定する。生体認証部５５によって生体認証が成功した場合、認証部５２はユーザが認証されたことを制御部５１に通知する。
【００３１】
制御部５１は、制御コマンド選択部５３、送信制御部５４、及び生体情報変化判定部５６を備える。制御部５１は、装着／取り外し検出部３７からウェアラブル機器１０が装着されたまたは取り外されたことを検出したことが通知されたことに応じて、外部機器１２に制御コマンドを送信する。制御コマンドは、ウェアラブル機器１０と連携して動作可能な外部機器の状態を遠隔操作によって変更するための制御コマンドである。
【００３２】
また、記憶部５０は、ウェアラブル機器１０の装着または取り外しが検出された場合に実行すべき処理の内容を示す制御情報を格納している。より詳しくは、記憶部５０は、制御コマンドを含む制御情報をデータベースとして格納している。また、制御情報は、ウェアラブル機器１０の装着が検出された場合に実行すべき処理の内容を示す第１の制御情報、ウェアラブル機器１０の取り外しが検出された場合に実行すべき処理の内容を示す第２の制御情報、及びユーザの生体情報が変化した場合に実行すべき処理の内容を示す制御情報を含む。
【００３３】
なお、図１０を参照して説明するが、制御部５１は、位置検出部３４によって検出される位置情報に基づき、ウェアラブル機器１０が、少なくとも一つの外部機器が存在する所定のエリア（自宅）内に存在するか否か判定し、ウェアラブル機器１０が所定のエリア内に存在する場合、制御コマンドを送信するための機能を有効にし、ウェアラブル機器１０が所定のエリア内に存在しない場合、制御コマンドを送信するための機能を無効にする。
【００３４】
制御コマンド選択部５３は、装着／取り外し検出部３７から通知される情報または生体情報取得部３５から得られる生体情報に基づき、記憶部５０に格納されているデータベースを参照して、外部装置１２に送信する制御コマンドを選択（決定）する。送信制御部５４は、制御コマンド選択部５３によって選択された制御コマンドを、ＢＴモジュール３６を介して外部機器１２に送信する。なお、送信制御部５４は、移動通信モジュール４４によって接続されているクラウドシステムを介して外部機器１２に、制御コマンドを送信してもよい。クラウドシステムとは、例えば複数の外部機器を管理するサーバ等からなるシステムである。
【００３５】
生体情報変化判定部５６は、生体情報取得部３５によって取得される生体情報に基づき、生体情報が変化したか否かを判定する。例えば、生体情報変化判定部５６は、温度センサ３５Ｃによって検知されるユーザの体温が予め設定されている所定の閾値を超えたか否かを判定する。制御コマンド選択部５３は、生体情報変化判定部５６によって生体情報が変化したと判定された場合、その生体情報の変化に対応する制御コマンドを、記憶部５０に格納されているデータベースに基づき選択する。
【００３６】
次に、図５を参照し、ユーザがウェアラブル機器１０を装着した場合における遠隔制御処理の手順について説明する。  
遠隔制御プログラム４１は、ウェアラブル機器１０が装着されたことまたは取り外されたことを装着／取り外し検出部３７によって検出されたことに応答して、遠隔制御処理を開始する。次に、遠隔制御プログラム４１は、静脈センサ３５Ｂ等のセンサ情報である生体情報を生体情報取得部３５から取得する（ステップＳ２０）。遠隔制御プログラム４１は、取得した生体情報に基づきユーザの認証を開始する。遠隔制御プログラム４１は、ユーザの認証が成功した場合、装着／取り外し検出部３７はウェアラブル機器１０が装着されたことを検出したか否かを判定する（ステップＳ２１）。なお、ステップＳ２０におけるユーザの認証の処理は行わなくてもよい。具体的には、遠隔制御プログラム４１が生体情報を生体情報取得部３５から取得した後、ユーザの認証の処理を行うことなく、ステップＳ２１の処理を開始してもよい。このように、遠隔制御プログラム４１は、生体情報を生体情報取得部３５から取得したことにより、ユーザの認証の処理を行うことなく、ユーザを認識してもよい。次に、遠隔制御プログラム４１は、ウェアラブル機器１０が装着されたことが装着／取り外し検出部３７によって検出されたと判定した場合（ステップＳ２１のＹＥＳ）、ウェアラブル機器１０と外部機器１２との間の通信によって、外部機器１２に制御コマンドを送信する。この送信される制御コマンドは、例えば、外部機器１２を動作状態（ＯＮ状態等）に変更するためのコマンドである。具体的には、送信される制御コマンドは、外部機器１２Ｃ（ＴＶ）に対してＴＶのチャンネルを変更する制御コマンドである。これにより、外部機器１２の状態が変更される。
【００３７】
なお、ステップＳ２１において、ウェアラブル機器１０が装着されたことが装着／取り外し検出部３７によって検出されていないと判定された場合（ステップＳ２１のＮＯ）、図５に示すように、ユーザがウェアラブル機器１０を装着した場合における遠隔制御処理は終了する。しかしながら、例えば、装着／取り外し検出部３７によってウェアラブル機器１０が装着されたことまたはウェアラブル機器１０が取り外されたことを検出され且つ生体情報取得部３５によってユーザの生体情報が取得された場合、制御部５１によって、ウェアラブル機器１０が装着されたことまたはウェアラブル機器１０が取り外されたこととして検出する場合が考えられる。このような場合、図５のステップＳ２１において、ウェアラブル機器１０が装着されたことが装着／取り外し検出部３７によって検出されていないと判定された場合（ステップＳ２１のＮＯ）、遠隔制御プログラム４１は、再び生体情報取得部３５によってユーザの生体情報が取得されるまで待機してもよい。
【００３８】
次に、図６を参照し、ユーザがウェアラブル機器１０を取り外した場合における遠隔制御処理の手順について説明する。  
遠隔制御プログラム４１は、ウェアラブル機器１０が装着されたことまたは取り外されたことが装着／取り外し検出部３７によって検出されたことに応答して、遠隔制御処理を開始する。次に、遠隔制御プログラム４１は、静脈センサ３５Ｂ等のセンサ情報である生体情報を生体情報取得部３５から取得する（ステップＳ３０）。遠隔制御プログラム４１は、取得した生体情報に基づきユーザの認証を開始する。遠隔制御プログラム４１は、ユーザの認証が成功した場合、装着／取り外し検出部３７はウェアラブル機器１０が取り外されたことを検出したか否かを判定する（ステップＳ３１）。なお、ステップＳ３０におけるユーザの認証の処理は行わなくてもよい。具体的には、遠隔制御プログラム４１が生体情報を生体情報取得部３５から取得した後、ユーザの認証の処理を行うことなく、ステップＳ３１の処理を開始してもよい。このように、遠隔制御プログラム４１は、生体情報を生体情報取得部３５から取得したことにより、ユーザの認証の処理を行うことなく、ユーザを認識してもよい。次に、遠隔制御プログラム４１は、ウェアラブル機器１０が取り外されたことが装着／取り外し検出部３７によって検出されたと判定した場合（ステップＳ３１のＹＥＳ）、ウェアラブル機器１０と外部機器１２との間の通信によって、外部機器１２に制御コマンドを送信する。この送信される制御コマンドは、例えば、外部機器１２を停止状態（ＯＦＦ状態等）に変更するためのコマンドである。これにより、外部機器１２の状態が変更される。
【００３９】
なお、ステップＳ３１において、ウェアラブル機器１０が取り外されたことが装着／取り外し検出部３７によって検出されていないと判定された場合（ステップＳ３１のＮＯ）、図６に示すように、ユーザがウェアラブル機器１０を取り外した場合における遠隔制御処理は終了する。しかしながら、例えば、装着／取り外し検出部３７によってウェアラブル機器１０が装着されたことまたはウェアラブル機器１０が取り外されたことが検出され且つ生体情報取得部３５によってユーザの生体情報が取得された場合、制御部５１によって、ウェアラブル機器１０が装着されたことまたはウェアラブル機器１０が取り外されたこととして検出する場合も想定される。このような場合、図６のステップＳ３１において、ウェアラブル機器１０が装着されたことが装着／取り外し検出部３７によって検出されていないと判定された場合（ステップＳ３１のＮＯ）、遠隔制御プログラム４１は、再び生体情報取得部３５によってユーザの生体情報が取得されるまで待機してもよい。
【００４０】
次に、図７を参照し、ウェアラブル機器１０を装着中にユーザの生体情報が変化した場合における遠隔制御処理の手順について説明する。  
遠隔制御プログラム４１は、ウェアラブル機器１０が装着されている間、図７に示すような処理を行う。遠隔制御プログラム４１は、生体情報取得部３５によってセンシングされている生体情報（センサ情報）としてユーザの体温情報を取得する（ステップＳ４０）。次に、生体情報変化判定部５６は、取得したユーザの体温情報が変化したか否かを判定する（ステップＳ４１）。遠隔制御プログラム４１は、取得したユーザの体温情報が変化したと生体情報変化判定部５６によって判定された場合（ステップＳ４１のＹＥＳ）、その体温情報の変化に対応する制御コマンドを、ウェアラブル機器１０と外部機器１２との間の通信によって、外部機器１２に送信する。この送信される制御コマンドは、例えば生体情報取得部３５によって取得される生体情報の変化と関連付けられているコマンドである。これにより、外部機器１２の状態が変更される。なお、遠隔制御プログラム４１は、取得したユーザの体温情報が変化したと判定されなかった場合（ステップＳ４１のＮＯ）、再び、生体情報取得部３５からユーザの体温情報を取得する。
【００４１】
次に、図８を参照して、ウェアラブル機器１０内に格納されるデータベースの例を説明する。  
具体的に、図８を参照して説明する。図８に示すデータベースは、ウェアラブル機器１０を装着した時（以下、装着時とする。）及びウェアラブル機器１０を取り外した時（以下、取り外し時とする。）における複数の外部機器の各々に対応する制御コマンドの内容を示している。
【００４２】
外部機器は、ＴＶ、エアコン、または風呂に設けられた機器（以下、風呂設定機器と称す。）等である。また、ウェアラブル機器１０は、上述したように時計モジュール３３を備えている。そのため、ウェアラブル機器１０は、時刻に応じて外部機器に異なる制御コマンドを送信することができる。
【００４３】
装着時において、ウェアラブル機器１０が装着された時刻が朝である場合、例えば、ユーザが起床しウェアラブル機器１０を装着するような場合が想定される。この場合、ＴＶの画面に交通情報を表示させるための制御コマンドをＴＶに送信し、エアコンの電源を入れる（ＯＮ状態にする）ための制御コマンドをエアコンに送信する。なお、この場合、風呂設定機器に対しては、風呂設定機器の状態を変更するような制御コマンドが設定されていない。
【００４４】
また、装着時において、ウェアラブル機器１０が装着された時刻が夜である場合、例えば、ユーザが自宅に帰宅し、ウェアラブル機器１０を装着するような場合が想定される。この場合、ＴＶの画面に一日の情報を表示させるための制御コマンドをＴＶに送信し、エアコンの電源を入れる（ＯＮ状態にする）ための制御コマンドをエアコンに送信し、風呂にお湯を入れる（入水状態にする）ための制御コマンドを風呂設定機器に送信する。
【００４５】
取り外し時において、ウェアラブル機器１０が取り外された時刻が朝である場合、例えば、ユーザが外出するような場合が想定される。この場合、ＴＶの画面に映像等が表示されないように画面の電源をＯＦＦにする（画面ＯＦＦ状態）にするための制御コマンドをＴＶに送信し、エアコンの電源を切る（ＯＦＦ状態にする）ための制御コマンドをエアコンに送信し、風呂のお湯を排出する（排水状態にする）ための制御コマンドを風呂設定機器に送信する。
【００４６】
また、取り外し時において、ウェアラブル機器１０が取り外された時刻が夜である場合、例えば、ユーザが就寝する場合またはユーザが風呂に入るような場合が想定される。この場合、ＴＶの画面に映像等が表示されないように画面の電源をＯＦＦにする（画面ＯＦＦ状態）ための制御コマンドをＴＶに送信し、エアコンの電源を切るまでの時間を設定する（タイマー予約状態にする）ための制御コマンドをエアコンに送信し、風呂のお湯の温度を変更する（温度変更状態にする）ための制御コマンドを風呂設定機器に送信する。
【００４７】
なお、装着時または取り外し時において、図８を参照して説明したように複数の外部機器の各々に対して制御コマンドを送信してもよいが、単一の外部機器に対して制御コマンドを送信してもよい。  
次に、図９を参照し、ウェアラブル機器１０内に格納されるデータベースの他の例を説明する。  
図９に示すデータベースは、ウェアラブル機器１０を装着している間（装着中）における複数の外部機器の各々に対応する制御コマンドの内容を示している。  
装着中において、温度センサ３５Ｃによって検知されるユーザの体温が上昇した場合、エアコンに対してエアコンの設定温度を下げるための制御コマンドを送信する。また、外部機器である携帯電話に対してメールを送信するための制御コマンドを送信する。ユーザの体温が上昇したということは、ユーザの体調に異変があった可能性がある場合が想定される。そのため、ウェアラブル機器１０を装着しているユーザの体温が上昇したことに応じて、携帯電話が家族等にメールを送信することにより、ウェアラブル機器１０を装着しているユーザの体調の異変を家族等が知ることができる（見守り機能）。
【００４８】
また、装着中において、ユーザの体温が低下した場合、例えばユーザが就寝したような場合が想定される。この場合、ＴＶに対して画面の電源をＯＦＦにする（画面ＯＦＦ状態）にするための制御コマンドを送信し、エアコンに対してエアコンの設定温度を上げるための制御コマンドを送信する。
【００４９】
また、生体情報取得部３５は、脈拍数（心拍数）を測定できるセンサを備えていてもよい。図９に示すように、装着中において、脈拍数が上昇した場合、例えば、脈拍数が上昇することにより体温が上昇するためユーザが熱いと感じているような場合、またはユーザの体調に異変が生じた場合等が想定される。この場合、エアコンの電源を入れる（ＯＮ状態にする）ための制御コマンドをエアコンに対して送信し、携帯電話に対して電話を家族等に発信するための制御コマンドを携帯電話に対して送信する。
【００５０】
また、装着中において、脈拍数が低下した場合、例えばユーザが就寝したような場合、ＴＶを画面ＯＦＦ状態に変更するための制御コマンドをＴＶに送信し、エアコンをタイマー予約状態に変更するための制御コマンドをエアコンに送信する。
【００５１】
なお、装着中において、図９を参照して説明したように複数の外部機器の各々に対して制御コマンドを送信してもよいが、単一の外部機器に対して制御コマンドを送信してもよい。
【００５２】
また、図８及び図９に示すようなデータベースは、クラウドシステム上に保存されているユーザに関するパーソナルデータに基づき生成されるデータベースであってもよい。パーソナルデータは、例えば、ユーザ１１が予め設定した外部機器１２に対する制御コマンド等の情報が含まれている。ウェアラブル機器１０は、クラウドシステム上からこのパーソナルデータを取得し、取得したパーソナルデータに基づき図８及び図９に示すようなデータベースを生成してもよい。
【００５３】
また、記憶部５０に図８または図９に示すようなデータベースが登録されており、その登録されているデータベースからユーザ１１が選択できるような構成であってもよい。
【００５４】
また、遠隔制御プログラム４１は、ユーザ１１の使用状況に応じて、記憶部５０に記憶されているデータベースの内容を変更できるような学習型の機能を有していてもよい。例えば、朝、ユーザ１１がＴＶを頻繁にＯＮ状態にするような場合、遠隔制御プログラム４１は、図８に示すように、装着時で且つ装着した時間帯が朝であるＴＶに対する制御コマンドに関する情報をＯＮ状態に設定するようにしてもよい。
【００５５】
次に、図１０を参照し、本実施形態におけるウェアラブル機器１０が有する他の機能の概要について説明する。  
他の機能は、次のような３つの機能である。  
・第１の機能：ウェアラブル機器１０が所定のエリアから出たことまたは所定のエリアに入ったことが検出されたことに応じて、ウェアラブル機器１０の装着または取り外しの検出が可能な第１のモードとウェアラブル機器１０の装着または取り外しの検出ができない第２のモードとを切り替える機能。なお、第１のモードは、ウェアラブル機器１０が制御コマンドを外部機器１２に送信する機能が有効なモードである。また、第２のモードは、ウェアラブル機器１０が制御コマンドを外部機器１２に送信する機能が無効なモードである。
【００５６】
・第２の機能：ウェアラブル機器１０が所定のエリアから出たことまたは所定のエリアに入ったことが検出されたことに応じて、所定のエリア内にある外部機器の状態を所定の状態に変更する機能。
【００５７】
・第３の機能：ウェアラブル機器１０が所定のエリアから出たことが検出されたことに応じて所定のエリア内にある外部機器の状態を保存し、所定のエリアに入ったことに応じて保存した外部機器の状態に基づき所定のエリア内にある外部機器の状態を復元する機能。
【００５８】
第１の機能乃至第３の機能において、ウェアラブル機器１０が所定のエリアから出たことまたは所定のエリアに入ったことの検出に関してより詳細に述べる。ウェアラブル機器１０は、ウェアラブル機器１０を装着したユーザ１１が外出する際、ウェアラブル機器１０はＧＰＳ等を用いてウェアラブル機器１０の位置情報を取得する。そして、ウェアラブル機器１０は、取得した位置情報に基づきユーザ１１が所定のエリアから出たことまたは所定のエリアに入ったことを検知することができる。または、外部機器から一定間隔でポーリングを行い、ウェアラブル機器１０が所定のエリア内にあるか否かを判定してもよい。または、例えば、ユーザが自宅等の玄関を通る際、ウェアラブル機器１０を検出するセンサ等が玄関に設けられている場合、ユーザ１１は、玄関を通るだけで、ウェアラブル機器１０のモードを、第１のモードと第２のモードとの間で切り替えることができる。
【００５９】
まず、第１の機能について説明する。  
第１の機能は、上述したようなウェアラブル機器１０の装着または取り外しの検出を、所定のエリア内でのみ可能にする機能である。第１の機能を利用することにより、例えば、自宅等の所定のエリア内にある外部機器１２を自宅外から操作できないようにすることができる。また、ユーザ１１が所定のエリアに入ったことが検出されたことに応じて、ウェアラブル機器１０が第１のモードに切り替わる。そのため、所定のエリアの外では、ユーザ１１は、ウェアラブル機器１０を、外部機器を操作する機能を有さない通常の腕時計として利用することができる。また、所定のエリア内では、ユーザ１１は、ウェアラブル機器１０を、外部機器を操作する機能を有する腕時計として利用することができる。
【００６０】
次に、第２の機能及び第３の機能について、図１０を参照して説明する。  
ウェアラブル機器１０は、所定のエリアから出たことまたは所定のエリアに入ったことが検出（検知）された場合、家庭内（所定のエリア内）の情報機器（外部機器）の状態を変更することができる。
【００６１】
より詳細には、ユーザ１１が自宅から外出する際、ウェアラブル機器１０は、所定のエリアである自宅からウェアラブル機器１０が出たことを検出する。そして、ウェアラブル機器１０は、ユーザ１１が外出時に自宅内で動作している必要がない（不要である）と思われる外部機器の状態を変更する。具体的には、図１０に示すように、外部機器１２Ｂ（エアコン）の電源をＯＦＦ（電源ＯＦＦ状態）にし、外部機器１２Ｃ（ＴＶ）の画面をＯＦＦ（画面ＯＦＦ状態）にする。このように、ウェアラブル機器１０は、不要な外部機器の電源をＯＦＦ状態にすることができる。なお、外部機器１２Ｄ（冷蔵庫）は不要ではないと思われる外部機器であるため、外部機器１２Ｄの状態は変更されない。また、図１０に示すように、ウェアラブル機器１０はクラウドシステムを介して外部機器１２の状態を変更してもよい。
【００６２】
また、ウェアラブル機器１０は、ユーザ１１が外出する際、自宅内にある外部機器の状態を保存することができる。より詳細には、ユーザ１１が外出する際、ウェアラブル機器１０は、不要であると思われる外部機器の状態が変更される前の外部機器の状態を、ウェアラブル機器１０に保存する。具体的には、ウェアラブル機器１０は、ユーザ１１が外出する際、外部機器１２Ｂの電源の状態がＯＮ状態であり、外部機器１２Ｃの画面の状態がＯＮ状態であり、及び外部機器１２Ｄの状態がＯＮ状態であることを、ウェアラブル機器１０に保存する。外部機器１２Ｄの状態がＯＮ状態であるとは、例えば冷蔵庫の電源が入っている状態である。なお、ユーザ１１が外出する際、ウェアラブル機器１０は、不要であると思われる外部機器の状態が変更される前の外部機器の状態を、クラウドシステム上のサーバ等に保存してもよい。
【００６３】
また、ウェアラブル機器１０は、ユーザ１１が自宅に帰宅した際、外出時に保存していた自宅内の外部機器の状態を復元することができる。例えば、図１０に示すように、ユーザ１１が帰宅した際、外部機器１２Ｂの電源の状態をＯＮ状態にし、外部機器１２Ｃの画面の状態をＯＮ状態にし、外部機器１２Ｄの状態をＯＮ状態にする。これにより、ユーザ１１が外出する前の外部機器１２の状態をまとめて復元することができる。なお、外部機器１２Ｄの状態は外出時にＯＮ状態から変更されていないため、ウェアラブル機器１０は、外部機器１２Ｄの状態を変更しなくてもよい。
【００６４】
また、図１０には図示されていないが、例えば、ユーザ１１が帰宅した際、外出前にユーザ１１が、外部機器の一つである録画再生装置等を使用して視聴していた録画番組の再生を再開するようにしてもよい。具体的には、ウェアラブル機器１０は、外出時に録画番組の再生を中断するための制御コマンドを録画再生装置等に送信する。そして、ウェアラブル機器は、帰宅時に、中断していた録画番組の再生位置からその録画番組を再生させるための制御コマンドを録画再生装置に送信する。これにより、録画番組の再生を再開するようにすることもできる。
【００６５】
次に、図１１を参照し、図１０を参照して上述したような３つの機能を有する本実施形態のウェアラブル機器１０のシステム構成について説明する。なお、図４を参照して上述した構成または機能については説明を省略する。
【００６６】
ウェアラブル機器１０は、位置検出部３４等を備える。位置検出部３４によって検出されたウェアラブル機器１０の位置情報は制御部５１に送られる。制御部５１は、位置判定部５６、状態保存部５７、及び状態復元部５８等を備える。また、記憶部５０には、機器状態情報及び登録位置情報（位置情報）等が格納されている。機器状態情報とは、外部機器の状態を示す情報である。登録位置情報とは、所定のエリアに関する位置情報である。より詳細には、登録位置情報は、予め登録されており、例えば所定の外部機器から所定の距離の位置に関する情報である。
【００６７】
位置判定部５６は、位置検出部３４から取得される位置情報及び記憶部５０にデータベースとして格納されている登録位置情報に基づき、ウェアラブル機器１０の位置を判定する。より詳しくは、位置判定部５６は、記憶部５０から登録位置情報を読み出し、読み出した登録位置情報と位置検出部３４から取得される位置情報とを比較する。そして、位置検出部３４から取得される位置情報が登録位置情報に一致するまたは相当すると位置判定部５６により判定された場合、ウェアラブル機器１０が所定のエリアから出たことまたは所定のエリアに入ったこと、換言すると、ウェアラブル機器１０が所定のエリア内に存在することまたはウェアラブル機器１０が所定のエリア外に存在すること、が検出されたと判定される。
【００６８】
例えば、ＧＰＳを利用して取得される経度及び緯度に関する位置情報を利用した場合、所定のエリアの範囲は複数の経度及び緯度によって囲まれたエリアに対応する。この複数の経度及び緯度によって囲まれたエリア内の緯度及び経度と取得される経度及び緯度とが一致した場合、ウェアラブル機器１０は所定のエリア内にあると判定することができる。一方、この複数の経度及び緯度によって囲まれたエリア内の緯度及び経度と取得される経度及び緯度とが一致しない場合、ウェアラブル機器１０は所定のエリアの外にあると判定することができる。また、ＧＰＳは一定期間間隔で位置情報を取得する。そのため、位置判定部５６は、ウェアラブル機器１０が所定のエリア内にあると判定し、その後、ウェアラブル機器１０が所定のエリアの外にあると判定した場合、ウェアラブル機器１０が所定のエリアから出たことが検出されたと判定することができる。一方、位置判定部５６は、ウェアラブル機器１０が所定のエリアの外にあると判定し、その後、ウェアラブル機器１０が所定のエリア内にあると判定した場合、ウェアラブル機器１０が所定のエリアに入ったことが検出されたと判定することができる。
【００６９】
状態保存部５７は、位置判定部５６によりウェアラブル機器１０が所定のエリアから出たことが検出されたと判定された場合、外部機器１２の状態を示す外部機器状態情報を、ＢＴモジュール３４または移動通信モジュール４４を介して外部機器１２から取得する。状態保存部５７は、取得した外部機器状態情報を記憶部５０に格納する。状態保存部５７は、取得した外部機器状態情報を記憶部５０に格納するとともに、上述したような不要な外部機器１２の状態を変更するための制御コマンドを外部機器１２に送信するように、送信制御部５４に通知する。
【００７０】
より詳細には、記憶部５０は、ウェアラブル機器１０が所定のエリアの外に出たことが検出された場合に実行すべき処理の内容を示す別の制御情報（以下、第３の制御情報と称す。）を格納している。状態保存部５７は、第３の制御情報に基づいて、第３の制御情報によって指定される制御対象の少なくとも一つの外部機器の現在の状態を示す情報を保存する。それとともに、送信制御部５４は、第３の制御情報によって指定される制御対象の少なくとも一つの外部機器を第３の制御情報によって指定される状態に設定するための制御コマンドを送信する。
【００７１】
送信制御部５４は、その通知に応じて、外部機器１２に送信する制御コマンドを決定する。送信制御部５４は、状態保存部５７によって外部機器１２から取得された外部機器状態情報に基づき、外部機器１２の状態を適切な状態にするための制御コマンドを決定する。そして、送信制御部５４は、決定した制御コマンドをＢＴモジュール３４または移動通信モジュール４４を介して、外部機器１２に送信する。なお、外部機器状態情報は、不要な外部機器の状態が変更される前の外部機器１２の状態を示す情報である。外部機器状態情報は、例えば、外部機器１２のＯＮ状態またはＯＦＦ状態等を示す情報である。
【００７２】
状態復元部５８は、位置判定部５６によりウェアラブル機器１０が所定のエリアに入ったことが検出されたと判定された場合、記憶部５０に格納されている外部機器状態情報を記憶部５０から読み出し、読み出した外部機器状態情報に基づき、外部機器１２の状態を復元する。状態復元部５８は、外部機器１２の状態を復元するために、制御コマンドを外部機器に送信するように送信制御部５４に通知し、読み出した外部機器状態情報も送信制御部５４に送る。送信制御部５４は、状態復元部５８から取得した外部機器状態情報に基づき、外部機器１２の状態を復元するための制御コマンドを決定する。例えば、送信制御部５４は、取得した外部機器状態情報に示されている外部機器の状態に対応する制御コマンドを送信する。
【００７３】
より詳細には、送信制御部５４は、状態保存部５７によって保存された少なくとも一つの外部機器の現在の状態を示す情報に基づいて、第３の制御情報によって指定される制御対象の少なくとも一つの外部機器を元の状態に復元するための制御コマンドを送信する。
【００７４】
次に、図１２を参照し、ユーザ１１が外出する際（以下、外出時と称す）における状態保存（変更）処理の手順について説明する。  
始めに、遠隔制御プログラム４１は、ウェアラブル機器１０の位置情報をＧＰＳ等を使用して取得する（ステップＳ８０）。遠隔制御プログラム４１は、取得した位置情報と自宅（家庭）内の位置情報とを比較することにより、ユーザ１１が外出したか否かを判定する（ステップＳ８１）。遠隔制御プログラム４１は、ユーザ１１が外出していないと判定した場合（ステップＳ８１のＮＯ）、位置情報が再び取得されるまで待機する。遠隔制御プログラム４１は、ユーザ１１が外出したと判定した場合（ステップＳ８１のＹＥＳ）、ウェアラブル機器１０と外部機器１２との間の通信によって、自宅内の外部機器の状態を外部機器１２から取得する（ステップＳ８２）。その後、遠隔制御プログラム４１は、不要な外部機器の電源をＯＦＦ等するために、対応する制御コマンドを外部機器に送信することにより、外部機器１２の状態を変更する（ステップＳ８３）。
【００７５】
なお、ステップＳ８２の処理の後、図５に示すステップＳ２０及びステップＳ２１に対応する処理を行ってもよい。そして、ステップＳ２０及びステップＳ２１の処理を行った後、ステップＳ８３の処理を行う。図１２に示すような状態保存処理において、このようにステップＳ２０及びステップＳ２１の処理を行うことによって、ステップＳ８１においてユーザが外出したと判定した場合でも、外出したユーザが外部機器１２の状態を変更する権限を有さないユーザである場合、換言すると外出したユーザの生体認証が失敗した場合、外部機器１２は状態が変更されない。
【００７６】
また、図１２に示すような状態保存処理において、ステップＳ２１の処理を行う際、ユーザ１１が外出するとともにウェアラブル機器１０を装着しないまたは取り外さないような場合でもよい。なぜなら、例えば、遠隔制御プログラム４１は、生体情報取得部３５によってユーザの生体情報が取得されたことを、ウェアラブル機器１０がユーザ１１に装着されたことまたは取り外されたこととして検出してもよい。または、遠隔制御プログラム４１は、生体情報取得部３５によってユーザの生体情報が取得され且つ生体認証部５５によって生体認証が成功したことを、ウェアラブル機器１０がユーザ１１に装着されたことまたは取り外されたこととして検出してもよい。そのため、ユーザ１１が外出するとともにウェアラブル機器１０を装着しないまたは取り外さないような場合でも、ユーザの生体情報が取得された後、またはユーザの生体情報が取得され且つ生体認証部５５によって生体認証が成功した後、ステップＳ８３の処理を行うことができる。
【００７７】
次に、図１３を参照し、ユーザ１１が帰宅する際（以下、帰宅時と称す。）における状態保存（変更）処理の手順について説明する。  
始めに、遠隔制御プログラム４１は、ウェアラブル機器１０の位置情報をＧＰＳ等を使用して取得する（ステップＳ９０）。遠隔制御プログラム４１は、取得した位置情報と自宅（家庭）内の位置情報とを比較することにより、ユーザ１１が帰宅したか否かを判定する（ステップＳ９１）。遠隔制御プログラム４１は、ユーザ１１が帰宅していないと判定した場合（ステップＳ９１のＮＯ）、位置情報が再び取得されるまで待機する。遠隔制御プログラム４１は、ユーザ１１が帰宅したと判定した場合（ステップＳ９１のＹＥＳ）、記憶部５０に格納（保存）されている外部機器状態情報を読み出す（ステップＳ９２）。その後、遠隔制御プログラム４１は、外部機器１２の状態を復元するために、対応する制御コマンドを外部機器１２に送信することにより、外部機器１２の状態を復元する（ステップＳ９３）。
【００７８】
なお、ステップＳ９１の処理の後、図５に示すステップＳ２０及びステップＳ２１に対応する処理を行ってもよい。そして、ステップＳ２０及びステップＳ２１の処理を行った後、ステップＳ９２の処理を行う。図１３に示すような状態保存処理において、このようにステップＳ２０及びステップＳ２１の処理を行うことによって、ステップＳ９１においてユーザが帰宅したと判定した場合でも、帰宅したユーザが外部機器１２の状態を変更する権限を有さないユーザである場合、換言すると帰宅したユーザの生体認証が失敗した場合、外部機器１２の状態は復元されない。
【００７９】
次に、図１４を参照して、ウェアラブル機器１０によって実行される生体認証処理の手順について説明する。  
始めに、装着／取り外し検出部３７によってウェアラブル機器１０が装着または取り外されたことが検出されたことに応じて（トリガとして）、生体認証処理が開始される。認証部５２は、ウェアラブル機器１０が装着または取り外されたか否かを判定する（ステップＳ５０）。生体認証部５５は、ウェアラブル機器１０が装着されたことが検出された場合（ステップＳ５０のＹＥＳ）、生体情報取得部３５から生体情報を取得する（ステップＳ５１）。ウェアラブル機器１０が装着されたことが検出されない場合（ステップＳ５０のＮＯ）、認証部５２は、装着／取り外し検出部３７によってウェアラブル機器１０が装着または取り外されたことが再び検出されるまで待機する。
【００８０】
次に、生体認証部５５は、生体認証が成功したか否かを判定する（ステップＳ５３）。具体的には、生体認証部５５は、記憶部５０に格納されているユーザの生体情報と、生体情報取得部３５から取得される生体情報とを比較する。生体認証が成功しない場合（ステップＳ５３のＮＯ）、生体認証処理を終了する。生体認証に成功した場合（ステップＳ５３ＹＥＳ）、認証部５２は、ユーザの認証が成功し、認証処理が完了したと判断する（ステップＳ５４）。そして、認証部５２は、ユーザの認証が成功し、認証処理が完了したことを制御部５１に通知する。制御部５１は、認証に成功したユーザに対応した制御コマンドを外部機器１２に送信する（ステップＳ５５）。例えば、記憶部５０に格納されている制御コマンドは、複数のユーザに関連付けられていてもよい。そのため、制御部５１は、認証に成功したユーザに対応する制御コマンドを外部機器１２に送信することができる。
【００８１】
また、ユーザ１１の腕にウェアラブル機器１０が装着されていない状態でバックル等が閉められた場合においても、ステップＳ５１以降の処理が実行される。しかしながら、ウェアラブル機器１０がユーザ１１の腕に装着されていない場合、ステップＳ５１において、生体情報取得部３５は生体情報を取得することができない。この場合、ステップＳ５２において生体認証が行われるが、ステップＳ５３において生体認証に失敗するため、図１４に示す生体認証処理において不具合は生じない。または、ステップＳ５１において生体情報を取得することができない場合、図１４に示すような生体認証処理を終了してもよい。
【００８２】
以上説明したように、本実施形態によれば、ウェアラブル機器１０は、人体に装着されたことまたは取り外されたことを検出し、装着または取り外しが検出された場合に実行すべき処理の内容を示す制御情報を保存することができる。また、ウェアラブル機器１０が装着または取り外しが検出された場合、制御情報に基づいて、制御情報によって指定される制御対象の少なくとも一つの外部機器を制御情報によって指定される状態に設定するための制御コマンドを少なくとも一つの外部機器に送信することができる。また、家庭内の複数の情報機器（外部機器）の操作をユーザが個別に操作しなければならなかった問題を解消することができる。また、ユーザ１１が、ウェアラブル機器１０を装着すること、ウェアラブル機器１０を取り外すこと、またはユーザ１１の体温変化、に応じて（トリガとして）、家庭内の複数の情報機器に対してまとめて操作を行うことができる。
【００８３】
なお、図１０等を参照して説明した第３の機能について、ウェアラブル機器１０は、第３の機能の一部の機能を有していてもよい。一部の機能とは、例えば、ウェアラブル機器１０が所定のエリアから出たことが検出されたことに応じて所定のエリア内にある外部機器の状態を保存する機能である。
【００８４】
ここで、本実施形態において上述した制御コマンドに関してより詳細に述べる。制御コマンドは、外部機器の状態を変更するためのコマンドであり、外部機器を遠隔制御するためのコマンドでもある。具体的には、制御コマンドは、ウェアラブル機器１０がＢＴモジュール３６を使用して検出される外部機器の内、例えばユーザ１１によって予め選択されている外部機器のＯＮ状態またはＯＦＦ状態等の状態を変更するためのコマンドである。また、制御情報には、外部機器に対する制御の内容を示す情報、換言すると外部機器の状態を変更するための内容を示す情報が含まれている場合を想定する。この場合、遠隔制御プログラム４１は、外部機器に対する制御の内容を示す情報を制御コマンドに変換し、変換した制御コマンドを外部機器に送信してもよい。
【００８５】
また、制御コマンドは、外部機器から取得されるコマンドであってもよい。例えば、遠隔制御プログラム４１は、ウェアラブル機器１０がＢＴモジュール３６を使用して検出した外部機器から、検出された外部機器に対して制御可能な内容を含む制御情報を取得する。遠隔制御プログラム４１は、取得した制御情報を保存する。そして、遠隔制御プログラム４１は、ウェアラブル機器１０の装着または取り外しが検出された場合、その保存した制御情報に基づき得られる制御コマンドを、対応する外部機器、例えばその保存した制御情報をウェアラブル機器１０に送信した外部機器、に送信する。
【００８６】
なお、上述したウェアラブル機器１０に通信機能が設けられていない場合、通信機能を有する他の機器を使用してもよい。例えば、通信機能を有する携帯電話を使用して、ウェアラブル機器１０は、携帯電話と通信し、携帯電話を介して制御コマンドを外部機器に送信してもよい。
【００８７】
図４及び図１１に示されているような各部の機能は、ソフトウェア（コンピュータプログラム）によって実現することができるので、このソフトウェアを格納したコンピュータ読み取り可能な記憶媒体を通じてこのソフトウェアを通常のコンピュータにインストールして実行することにより、本実施形態と同様の効果を容易に実現することができる。
【００８８】
また、本実施形態で説明した遠隔制御プログラム４１は、専用ＬＳＩ、ＤＳＰ、またはマイクロコンピュータのようなハードウェアによって実現してもよい。  
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2014155497.tif 000003
【図２】
2014155497.tif 000004
【図３】
2014155497.tif 000005
【図４】
2014155497.tif 000006
【図５】
2014155497.tif 000007
【図６】
2014155497.tif 000008
【図７】
2014155497.tif 000009
【図８】
2014155497.tif 000010
【図９】
2014155497.tif 000011
【図１０】
2014155497.tif 000012
【図１１】
2014155497.tif 000013
【図１２】
2014155497.tif 000014
【図１３】
2014155497.tif 000015
【図１４】
2014155497.tif 000016
【手続補正書】
【提出日】平成28年6月8日(2016.6.8)
【手続補正２】
【補正対象書類名】明細書
【補正対象項目名】０００７
【補正方法】変更
【補正の内容】
【０００７】
実施形態によれば、ウェアラブル機器は、第１の検出手段と、無線通信部と、保存手段と、制御手段とを具備する。前記第１の検出手段は、ウェアラブル機器が人体に装着されたことを検出する。前記保存手段は、前記ウェアラブル機器の装着が検出された場合に、第１機器に対して実行すべき第１処理と、第２機器に対して実行すべき第２処理との内容を示す制御情報を保存する。前記制御手段は、前記ウェアラブル機器の装着が検出された場合、制御対象の前記第１機器に対して前記第１処理を実行させるための第１コマンドを、前記無線通信部を介して前記第１機器へ送信するとともに、制御対象の前記第２機器に対して前記第２処理を実行させるための第２コマンドを、前記無線通信部を介して前記第２機器へ送信する。
【手続補正３】
【補正対象書類名】特許請求の範囲
【補正対象項目名】全文
【補正方法】変更
【補正の内容】
【特許請求の範囲】
【請求項１】
ウェアラブル機器が人体に装着されたことを検出する第１の検出手段と、
無線通信部と、
前記ウェアラブル機器の装着が検出された場合に、第１機器に対して実行すべき第１処理と、第２機器に対して実行すべき第２処理との内容を示す制御情報を保存する保存手段と、
前記ウェアラブル機器の装着が検出された場合、制御対象の前記第１機器に対して前記第１処理を実行させるための第１コマンドを、前記無線通信部を介して前記第１機器へ送信するとともに、制御対象の前記第２機器に対して前記第２処理を実行させるための第２コマンドを、前記無線通信部を介して前記第２機器へ送信する制御手段とを具備するウェアラブル機器。
【請求項２】
前記ウェアラブル機器を装着するユーザの生体情報を検知するセンサをさらに具備し、
前記制御情報は、前記ユーザの生体情報が変化した場合に、前記第１機器に対して実行すべき第３処理と、前記第２機器に対して実行すべき第４処理との内容を示す別の制御情報を含み、
前記制御手段は、前記ウェアラブル機器が前記ユーザに装着されている期間中において前記ユーザの生体情報の変化が検知された場合、制御対象の前記第１機器に対して前記第３処理を実行させるための第３コマンドを、前記無線通信部を介して前記第１機器へ送信するとともに、制御対象の前記第２機器に対して前記第４処理を実行させるための第４コマンドを、前記無線通信部を介して前記第２機器へ送信する請求項１記載のウェアラブル機器。
【請求項３】
前記ウェアラブル機器の位置情報を取得する位置情報取得手段をさらに具備し、
前記制御手段は、前記位置情報に基づき、前記ウェアラブル機器が前記第１機器と前記第２機器とが存在する第１のエリア内に存在するか否か判定し、前記ウェアラブル機器が前記第１のエリア内に存在する場合、前記第１コマンドおよび前記第２コマンドを送信するための機能を有効にし、前記ウェアラブル機器が前記第１のエリア内に存在しない場合、前記機能を無効にする請求項１記載のウェアラブル機器。
【請求項４】
前記ウェアラブル機器を装着するユーザの生体情報を取得する取得手段と、
前記ウェアラブル機器の装着が検出された場合、前記取得される生体情報が登録生体情報に対応するかを判定する生体認証を行う生体認証手段とをさらに具備し、
前記制御手段は、前記取得される生体情報が前記登録生体情報に対応することが判定された場合、前記第１コマンドおよび前記第２コマンドを送信するための機能を有効にし、前記取得される生体情報が前記登録生体情報に対応することが判定されなかった場合、前記機能を無効にする請求項１記載のウェアラブル機器。
【請求項５】
前記ウェアラブル機器を装着するユーザの生体情報を取得する取得手段をさらに具備し、
前記検出手段は、前記取得される生体情報に基づき、前記ウェアラブル機器が前記ユーザに装着されたことを検出する請求項１記載のウェアラブル機器。
【請求項６】
前記ウェアラブル機器の位置情報を取得する位置情報取得手段と、
前記位置情報に基づき、前記ウェアラブル機器が前記第１機器と前記第２機器とが存在する第１のエリアから前記第１のエリアの外に出たことまたは前記第１のエリアの外から前記第１のエリアに入ったことを検出する第２の検出手段とをさらに具備し、
前記制御情報は、前記ウェアラブル機器が前記第１のエリアの外に出たことが検出された場合に、前記第１機器に対して実行すべき第３処理と、前記第２機器に対して実行すべき第４処理との内容を示す別の制御情報を含み、
前記制御手段は、
前記ウェアラブル機器が前記第１のエリアの外に出たことが検出された場合、制御対象の前記第１機器および前記第２機器の現在の状態を示す情報を保存し、制御対象の前記第１機器に対して前記第３処理を実行させるための第３コマンドを、前記無線通信部を介して前記第１機器へ送信するとともに、制御対象の前記第２機器に対して前記第４処理を実行させるための第４コマンドを、前記無線通信部を介して前記第２機器へ送信し、
前記ウェアラブル機器が前記第１のエリアに入ったことが検出された場合、前記保存された情報に基づいて、前記第１機器を元の状態に復元するための第５コマンドを、前記無線通信部を介して前記第１機器へ送信するとともに、前記第２機器を元の状態に復元するための第６コマンドを、前記無線通信部を介して前記第２機器へ送信する請求項１記載のウェアラブル機器。
【請求項７】
ウェアラブル機器によって複数の機器を遠隔制御する遠隔制御方法であって、
前記ウェアラブル機器内の検出部が、前記ウェアラブル機器が人体に装着されたことを検出し、
前記ウェアラブル機器の装着が検出された場合、前記ウェアラブル機器内の制御部が、前記ウェアラブル機器の装着が検出された場合に、第１機器に対して実行すべき第１処理と、第２機器に対して実行すべき第２処理との内容を示す制御情報に基づいて、制御対象の前記第１機器に対して前記第１処理を実行させるための第１コマンドを、前記ウェアラブル機器内の無線通信部を介して前記第１機器へ送信するとともに、制御対象の前記第２機器に対して前記第２処理を実行させるための第２コマンドを、前記無線通信部を介して前記第２機器へ送信する遠隔制御方法。
【請求項８】
ウェアラブル機器が人体から取り外されたことを検出する第１の検出手段と、
無線通信部と、
前記ウェアラブル機器の取り外しが検出された場合に、第１機器に対して実行すべき第１処理と、第２機器に対して実行すべき第２処理との内容を示す制御情報を保存する保存手段と、
前記ウェアラブル機器の取り外しが検出された場合、制御対象の前記第１機器に対して前記第１処理を実行させるための第１コマンドを、前記無線通信部を介して前記第１機器へ送信するとともに、制御対象の前記第２機器に対して前記第２処理を実行させるための第２コマンドを、前記無線通信部を介して前記第２機器へ送信する制御手段とを具備するウェアラブル機器。
【請求項９】
前記ウェアラブル機器を装着するユーザの生体情報を検知するセンサをさらに具備し、
前記制御情報は、前記ユーザの生体情報が変化した場合に、前記第１機器に対して実行すべき第３処理と、前記第２機器に対して実行すべき第４処理との内容を示す別の制御情報を含み、
前記制御手段は、前記ウェアラブル機器が前記ユーザに装着されている期間中において前記ユーザの生体情報の変化が検知された場合、制御対象の前記第１機器に対して前記第３処理を実行させるための第３コマンドを、前記無線通信部を介して前記第１機器へ送信するとともに、制御対象の前記第２機器に対して前記第４処理を実行させるための第４コマンドを、前記無線通信部を介して前記第２機器へ送信する請求項８記載のウェアラブル機器。
【請求項１０】
前記ウェアラブル機器の位置情報を取得する位置情報取得手段をさらに具備し、
前記制御手段は、前記位置情報に基づき、前記ウェアラブル機器が前記第１機器と前記第２機器とが存在する第１のエリア内に存在するか否か判定し、前記ウェアラブル機器が前記第１のエリア内に存在する場合、前記第１コマンドおよび前記第２コマンドを送信するための機能を有効にし、前記ウェアラブル機器が前記第１のエリア内に存在しない場合、前記機能を無効にする請求項８記載のウェアラブル機器。
【請求項１１】
前記ウェアラブル機器を装着するユーザの生体情報を取得する取得手段と、
前記ウェアラブル機器の装着が検出された場合、前記取得される生体情報が登録生体情報に対応するかを判定する生体認証を行う生体認証手段とをさらに具備し、
前記制御手段は、前記取得される生体情報が前記登録生体情報に対応することが判定された場合、前記第１コマンドおよび前記第２コマンドを送信するための機能を有効にし、前記取得される生体情報が前記登録生体情報に対応することが判定されなかった場合、前記機能を無効にする請求項８記載のウェアラブル機器。
【請求項１２】
前記ウェアラブル機器の位置情報を取得する位置情報取得手段と、
前記位置情報に基づき、前記ウェアラブル機器が前記第１機器と前記第２機器とが存在する第１のエリアから前記第１のエリアの外に出たことまたは前記第１のエリアの外から前記第１のエリアに入ったことを検出する第２の検出手段とをさらに具備し、
前記制御情報は、前記ウェアラブル機器が前記第１のエリアの外に出たことが検出された場合に、前記第１機器に対して実行すべき第３処理と、前記第２機器に対して実行すべき第４処理との内容を示す別の制御情報を含み、
前記制御手段は、
前記ウェアラブル機器が前記第１のエリアの外に出たことが検出された場合、制御対象の前記第１機器および前記第２機器の現在の状態を示す情報を保存し、制御対象の前記第１機器に対して前記第３処理を実行させるための第３コマンドを、前記無線通信部を介して前記第１機器へ送信するとともに、制御対象の前記第２機器に対して前記第４処理を実行させるための第４コマンドを、前記無線通信部を介して前記第２機器へ送信し、
前記ウェアラブル機器が前記第１のエリアに入ったことが検出された場合、前記保存された情報に基づいて、前記第１機器を元の状態に復元するための第５コマンドを、前記無線通信部を介して前記第１機器へ送信するとともに、前記第２機器を元の状態に復元するための第６コマンドを、前記無線通信部を介して前記第２機器へ送信する請求項８記載のウェアラブル機器。
【請求項１３】
ウェアラブル機器によって複数の機器を遠隔制御する遠隔制御方法であって、
前記ウェアラブル機器内の検出部が、前記ウェアラブル機器が人体から取り外されたことを検出し、
前記ウェアラブル機器の取り外しが検出された場合、前記ウェアラブル機器内の制御部が、前記ウェアラブル機器の取り外しが検出された場合に、第１機器に対して実行すべき第１処理と、第２機器に対して実行すべき第２処理との内容を示す制御情報に基づいて、制御対象の前記第１機器に対して前記第１処理を実行させるための第１コマンドを、前記ウェアラブル機器内の無線通信部を介して前記第１機器へ送信するとともに、制御対象の前記第２機器に対して前記第２処理を実行させるための第２コマンドを、前記無線通信部を介して前記第２機器へ送信する遠隔制御方法。
【国際調査報告】
2014155497.tif 000017
2014155497.tif 000018
2014155497.tif 000019
2014155497.tif 000020